(57)【特許請求の範囲】
【請求項１】
培地及び当該培地上で生育し得る開花植物を収納してなる該開花植物が外部から観賞可能な培養容器部と、香料揮散孔を有し内部に香料が収納された香料容器部とを備えた植物観賞容器であって、当該培養容器部と当該香料容器部とを当該香料容器から揮散した香料が当該開花植物に接触しない部位に設置したことを特徴とする植物観賞容器。
【請求項２】
培養容器部が更に、外部と通気可能な通気フィルターを備えることを特徴とした請求項１記載の植物観賞容器。
【発明の詳細な説明】
【０００１】
【産業上の利用分野】
本発明は、生きた花を視覚と臭覚の両方により楽しむことができる容器内開花植物と香料を収納した植物観賞容器に関する。
【０００２】
【従来技術及び発明が解決しようとする課題】
屋内において生きた花の美しさと香りを楽しむためには、ユリ、バラなどの芳香性の花を着ける植物を切り花や鉢植えの状態で屋内に持ち込む必要がある。しかし、切り花と鉢植えのいずれも屋内空間に芳香を拡散させる程の強い芳香は持たない。更に、切り花には寿命が短いという欠点があり、鉢植えの植物にはスペースと栽培管理を必要とし屋内に土を持ち込んでしまうため手軽に屋内に置くことができないという欠点がある。
また、栽培管理を必要とせず、花の美しさと香りを長期間楽しむためには、植物育成に必要な人工培地を含む容器内で開花させ、かつ芳香を揮散させる必要がある。この際、香料を培地に添加したり、培地上に置いたりして芳香を楽しむことも可能であるが、香料の影響で植物の生育が阻害されたり、植物が死滅してしまう。
更に、容器内開花植物とは距離を隔てて別に芳香容器を置くこともできるが設置場所が必要となる等の問題がある。
【０００３】
従って、本発明は、手軽に屋内に置くことができ、生きた花を視覚と臭覚の両方により長期間楽しむことができる植物観賞容器を提供することを目的とする。
【０００４】
【課題を解決するための手段】
かかる実情において、本発明者らは鋭意検討を行った結果、植物観賞容器内で、容器内開花植物の占める培養容器部と異なる空間に香料が揮散する部位を設けることにより、芳香を有しながら、長期間生きた花を楽しめることを見出し、本発明を完成した。
【０００５】
すなわち、本発明は、培地及び当該培地上で生育し得る開花植物を収納してなる該開花植物が外部から観賞可能な培養容器部と、香料揮散孔を有し内部に香料が収納された香料容器部とを備えた植物観賞容器であって、当該培養容器部と当該香料容器部とを当該香料容器から揮散した香料が当該開花植物に接触しない部位に設置した植物観賞容器を提供するものである。
【０００６】
本発明の植物観賞容器は、培養容器部と香料容器部とを備えたものである。
培養容器部は、培地及び当該培地上で生育し得る開花植物を収納してなり、該開花植物が外部から観賞可能なものであれば特に制限されず、植物観賞容器を後述する香料容器部と仕切壁等で仕切られたものであっても、培養容器ユニットとして植物観賞容器に組み込まれたものであってもよい。また、植物観賞容器中のどの位置に配置されていてもよいが、生きた花を観賞する目的から植物観賞容器の大部分でかつ中心部分に位置することが好ましい。
【０００７】
培養容器部内に位置する培地上で生育し得る開花植物としては、容器内で栽培して開花し、そのまま観賞可能とするものであれば特に限定されず、ユリ、バラ、ナデシコ、スミレ、スズラン、ラベンダー、バジル、イチゴ、カーネーション等を用いることができる。
【０００８】
容器内開花方法は、特に限定されず、公知の方法を用いることができるが、別途無菌的に育成した花芽形成前の植物体を当該容器内に移植し花芽を形成させ開花させる方法も含まれる。開花期間は、２週間以上が好ましく４週間以上が特に好ましい。
【０００９】
培養容器部に位置する培地も特に制限されないが、pH５．０〜６．０に調整したリンスマイヤー・スクーグ培地、ムラシゲ・スクーグ培地等公知の基本培地及びこれらを改変した培地等を用いることができる。これらの培地は植物生長調整剤、糖類等を含んでいてもよく、培地をゲル化するために、寒天、ゲルライト、アガロース等を適宜用いることができる。
また、草丈が大きくなり、容器内に収納することが困難な植物種を使用する場合には、Ｎ，Ｎ−ジメチルアミノサクシナミン酸などの矮化剤を培地中に添加する方法を用いることができる。
【００１０】
培養容器部は、外部と通気可能な通気フィルターを備えていることが好ましい。外部と通気可能なフィルターとしては、無菌通気フィルターが好ましく、開閉度調節が可能な開閉扉を有しているものが更に好ましい。通気フィルターは、総面積１０mm2以上、好ましくは２５mm2以上、１０００mm2以下の無菌テフロンフィルター等を用いることができる。
【００１１】
香料容器部は、香料揮散孔を有し内部に香料が収納されて、植物観賞容器中、培養容器部位に対し、当該香料容器から揮散した香料が前記開花植物に接触しない部位に設置されていることが必要である。
【００１２】
香料が前記開花植物に接触すると香料の影響で花の生育が阻害されたり、花が死滅したりする。
香料容器部は、培養容器部の上面、側面、下面、下面から側面へ連なる下側面等いかなる位置に配置されていてもよく、植物観賞容器中、前記培養容器部と仕切られていても、ユニットとして組み込まれていてもよい。
【００１３】
香料容器部に収納された香料は、特に限定されず、揮散孔を通して外気に揮散し、容器内開花植物種の花か茎葉の香りをイメージするものが好ましく、２週間以上、特に４週間以上揮散するものが好ましい。また、香料は香料を含有した液体、固体又は半固体等として香料容器部に収納して用いることができる。
【００１４】
香料が揮散する揮散孔は、自動又は手動で開閉自由で開閉度調節できるものが更に好ましい。
【００１５】
植物観賞容器の大きさ又は形状は、特に限定されず容器内開花植物の種類により適宜選ばれるが、直方体形状のものであれば縦横、円筒状であれば直径がそれぞれ好ましくは２０cm以下、特に１０cm以下、高さが好ましくは３０cm以下、特に２０cm以下が好ましい。
【００１６】
植物観賞容器の材質は特に限定されず観賞用目的から全面あるいは一部透明のプラスチック容器が好ましく、耐熱性、耐薬品性の面からもポリカーボネート、テフロン、ポリメチルペンテン、ポリプロピレン等を用いることができる。
【００１７】
植物観賞容器中、培養容器部と香料容器部の位置関係は、容器内開花植物体の種類、使用目的により適宜選ばれる。好ましい態様を図１に示す。
【００１８】
植物観賞容器の使用方法は、特に限定されず容器内開花植物を視覚又は臭覚により楽しむものであれば、いかなる使用方法でもよいが、例えば、使用開始までの短期間は培養容器部の通気孔及び香料揮散孔とも密封し、又は香料揮散孔のみを密封し、開花してから香料揮散孔を開放し、使用開始後は香料揮散孔の開閉により香料の揮散を調節する等して使用することが好ましい。
【００１９】
本発明の植物観賞容器は本発明の効果を損わない限り、持ち運び用把持部、時計、オルゴール等のアクセサリー部等を備えていてもかまわない。
【００２０】
【発明の効果】
本発明の植物観賞容器は、屋内に手軽に置くことができ、生きた花を視覚と臭覚の両方により長期間楽しむことができる。
【００２１】
次に、実施例を挙げて、本発明を更に詳細に説明するが、本発明はこれら実施例に限定されるものではない。
【００２２】
実施例
縦７．５cm、横７．５cm、高さ１０cmで上面中央部にミリシール（ミリポア社製テフロンフィルター）を備えた培養容器ユニットにpH５．７に調整したリンスマイヤー・スクーグの培地１００mlを入れた。次に、別に、無菌的に育成したスイートバジル植物体の上部３節を含むようにナイフで茎を切断し、前記培養物に挿入し、２６℃、１０００ルックス、２４時間日長で２週間培養したところ、花芽が形成され一週間後には開花した。次に培養容器ユニット上部にスイートバジルの香りをイメージする香料を収納した香料容器ユニット（縦７．５cm、横７．５cm、高さ１．０cmの直方体で中央に垂直方向に筒状（直径１cm）の空洞を有する）を装着し、容器内開花植物を収納した植物観賞容器として屋内に静置した（図１）。スイートバジルは花序の下の花から順次開花し、開花及び芳香の揮散は１カ月間続いた。
【図面の簡単な説明】
【図１】本発明の植物観賞容器の態様を示す説明図である。
【図２】本発明の植物観賞容器の態様を示す説明図である。
【符号の説明】
１  植物観賞容器
２  容器内開花植物
３  培地
４  培養容器部
５  通気フィルター
６  香料容器部
７  香料揮散孔
【図１】
0003771602.tif 000002
【図２】
0003771602.tif 000003